(57)【要約】【課題】発光する色と発光形状から止まれ進めを的確に、１方向あるいは前後２方向に指示することが出来、赤色信号灯と青色信号灯の機能を有し、赤色信号棒を兼ねる携帯信号灯の提供。【解決手段】円形の平らな発光面を両側に有する発光部と、その発光部を保持する筒状の握り部からなり、正面の発光面は赤色透明の合成樹脂製拡散レンズからなり、その内部に高輝度赤色ＬＥＤを配置し、背面の発光面は無色透明の合成樹脂製拡散レンズからなり、その内部に高輝度赤色ＬＥＤと高輝度青色ＬＥＤを配置している。止まれの指示は、高輝度赤色ＬＥＤを発光させ発光面から赤色で発光形状が＊印状の光を目的方向に向け、進めの指示は、高輝度青色ＬＥＤを発光させ発光面から青色で発光形状が○印状の光を目的方向に向ける。赤色信号棒を兼ねさせるため、発光部の枠が赤色の合成樹脂製からなる。【選択図】  図１
2004296413.tif 000002
【特許請求の範囲】
【請求項１】
円形の平らな発光面を両側に有する発光部と、その発光部を保持する筒状の握り部からなり、正面の発光面は赤色透明の合成樹脂製拡散レンズからなり、その内部に高輝度赤色ＬＥＤを配置し、背面の発光面は無色透明の合成樹脂製拡散レンズからなり、その内部に高輝度赤色ＬＥＤと高輝度青色ＬＥＤを配置し、正面と背面の高輝度赤色ＬＥＤは止まれを認識する形状に組合せ、背面の高輝度青色ＬＥＤは進めを認識する形状に組合わせてスイッチで任意に発光させ、各高輝度ＬＥＤの発光は連続発光あるいは点滅発光に切替えることが出来、背面の発光面下部に収納固定用の金属製フックを配置し、発光部の外枠は赤色の合成樹脂製からなり、筒状の握り部には各高輝度ＬＥＤを連続発光あるいは点滅発光させるための電池と電子回路を収容し、握り部を握った手を安定させるため、握り部の下部と上部に紐を通す穴の空いた突起を設けていることを特徴とする携帯信号灯である。
【発明の詳細な説明】
【０００１】
【発明の属する技術分野】
本発明は、交通整理や工事現場に於いて人や車の誘導する時に止まれ、進め等の指示を的確にするものである。
【０００２】
【従来の技術】
従来使用されている信号灯は、透明の合成樹脂製の円筒の内側を半透明の赤色拡散フィルムで被覆し、円筒内に赤色ＬＥＤを配置して発光させている。
【０００３】
【発明が解決しようとする課題】
上記のように円筒内に赤色ＬＥＤだけを配置した従来の信号灯は、信号灯の動きにより進め、止まれの指示をしていた。円筒から発する赤色の光は全方向に放射されるため、どこに何を指示しているか判別しにくかった。
【０００４】
この発明はかかる現況に鑑みなされたもので、平らな発光面から赤色または青色の視認性の良い光を指示する方向に向け、止まれの時は発光を赤色の＊印状にし、進めの時は発光を青色の○印状にして発光させるので、発光の色と形状が変わることにより、指示が的確で容易に認識され、発光部が赤色を呈しているので赤色信号棒を兼ねる携帯信号灯を提供するものである。
【０００５】
【課題を解決するための手段】
この発明は上記目的を達成するため次のような構成とした。円形の平らな発光面を両側に有する発光部と、その発光部を保持する筒状の握り部からなり、正面の発光面内部に高輝度赤色ＬＥＤを配置し、背面の発光面内部に高輝度赤色ＬＥＤと高輝度青色ＬＥＤを配置し、両面の各高輝度ＬＥＤを発光させるスイッチにより、正面の発光面から赤色を発光させたり、背面から赤色または青色を発光させることが出来、発光部の枠が赤色であることを特徴とする。
【０００６】
【発明の作用】
円形の平らな発光面内部に配置された高輝度赤色ＬＥＤと高輝度青色ＬＥＤの発光形状は指示内容によって違いを持たせているため、発光色と発光形状による認識が可能となり、発光面が平面のため目的方向に対し視認性が良く、昼間でも指示が的確に認識され、発光部の枠が赤色のため赤色信号棒を兼ねることが出来る。
【０００７】
発光面から赤色を発光した時は止まれの指示を認識させることが可能なので、正面あるいは背面のどちらか一方から赤色を発光させ、その面を目的方向に向けると１方向に止まれの指示を、両面とも赤色を発光させた時は前後２方向に止まれの指示をすることが出来る。発光面から青色を発光した時は進めの指示を認識させることが可能なので、背面から青色を発光させてその面を目的方向に向けると進めの指示をすることが出来る。背面から青色を発光させて目的方向に進めを指示しているとき対面側に止まれを指示するには、正面の発光面から赤色を発光させてこの面を対面方向に向けることになり、前後２方向に違う指示をすることが出来る。さらに、両面の各高輝度ＬＥＤの発光を状況や用途により連続発光あるいは点滅発光させることが出来る。
【０００８】
【実施例】
本発明の携帯信号灯の一実施例を図１、図２、図３、図４、図５、図６、図８、図９、に示している。
【０００９】
正面の発光面３は図２のごとく赤色透明の合成樹脂製拡散レンズからなり、背面の発光面４は図３のごとく無色透明の合成樹脂製拡散レンズからなり、発光部２の枠は赤色の合成樹脂製からなることを特徴とする。
【００１０】
発光部２の正面の発光面３の内部に図４のごとく高輝度赤色ＬＥＤ１１を配置し、背面の発光面４の内部には図５のごとく高輝度赤色ＬＥＤ１１と高輝度青色ＬＥＤ１２を配置している。
【００１１】
筒状の握り部５の内部には電池１３を収容し、各高輝度ＬＥＤを連続発光あるいは点滅発光させる電子回路の収容部１３を有する構造となっている。握り部には発光部の正面の高輝度赤色ＬＥＤを発光させるスイッチ６と、背面の高輝度赤色ＬＥＤと高輝度青色ＬＥＤを切替えて発光させるスイッチ７と、各高輝度ＬＥＤを連続発光あるいは点滅発光させる切替スイッチ８が取付けられている。
【００１２】
正面の発光面の内部に配置される高輝度赤色ＬＥＤ１１は図４に示すように円周上と中心に取付られ、背面の発光面の内部に配置される高輝度赤色ＬＥＤ１１と高輝度青色ＬＥＤ１２は図５に示すように、高輝度赤色ＬＥＤ１１は円周上と中心に、高輝度青色ＬＥＤ１２は高輝度赤色ＬＥＤ１１と同じ円周上に取付けられている。
【００１３】
正面と背面の内部の高輝度赤色ＬＥＤ１１と高輝度青色ＬＥＤ１２は図７に示すように両面プリント基板１６の正面、背面に取付けられ、電子回路の収容部１３にリード線で接続されている。両面プリント基板１６の配線部分を露出させないため、両面プリント基板１６と各高輝度ＬＥＤの間に化粧板を兼ねた反射板１７を取付けている。
【００１４】
スイッチ６により正面の発光面の内部に配置された高輝度赤色ＬＥＤ１１を発光させると発光形状が赤色の＊印状となり、スイッチ７により背面の発光面の内部に配置された高輝度赤色ＬＥＤ１１を発光させると発光形状が赤色の＊印状になり、同じくスイッチ７を更に切替えて高輝度青色ＬＥＤ１２を発光させると発光形状が青色の○印状となる。
【００１５】
正面あるいは背面の発光面の内部に配置された各高輝度ＬＥＤの発光形状によって、発光する信号の意味が的確に認識されるので、指示の不正確さや誤解による事故の発生を防止出来る。発光形状を赤色の＊印状にした時は止まれを認識させるので、スイッチ６あるいはスイッチ７により、正面か背面だけの高輝度赤色ＬＥＤ１１を発光させて発光形状を赤色の＊印状にすると１方向に止まれの指示を、スイッチ６とスイッチ７により両面とも高輝度赤色ＬＥＤ１１を発光させて発光形状を赤色の＊印状にすると前後２方向に止まれを指示することが出来る。発光形状を青色の○印状にした時は進めを認識されるので、スイッチ７により背面の高輝度青色ＬＥＤ１２だけを発光させて発光形状を青色の○印状にすると１方向に進めの指示をすることが出来る。
【００１６】
正面の高輝度赤色ＬＥＤ１１をスイッチ６により発光させて発光形状を赤色の＊印状にし、背面の高輝度青色ＬＥＤ１２をスイッチ７により発光させ発光形状を青色の○印状にさせて、目的方向に背面を向け進めを指示したとき、対面方向となる正面は止まれとなり、前後２方向に指示をすることが出来、進め止まれの指示を逆にしたい時は発光面の正面、背面を逆に向けることになる。
【００１７】
図３の金属製フック１０を発光部の下部に取付け携帯信号灯を収納固定する時に使用し、握り部の下部と上部に穴の空いた図２、３の突起９を設け、図１のように紐１を通して筒状の握り部５を握った時に手を安定させるためのものである。
【００１８】
【発明の効果】
この発明は発光面が平面のため指示方向に対し視認性が良く、止まれ、進めを発光形状と発光色を変えて指示するので、昼間でも的確に、遠くからでも認識が容易になる。
【００１９】
発光面が両側にあるため、１方向に止まれ進めを、あるいは前後２方向に止まれ進めを別々に指示出来る。
【００２０】
発光部の枠が赤色の合成樹脂製からなり、正面の発光面も赤色のため、発光部全体がほぼ赤色を呈するので赤色信号棒を兼ねることが出来る。
【図面の簡単な説明】
【図１】この発明に係る携帯信号灯の正面斜視図である。
【図２】携帯信号灯の正面図である。
【図３】携帯信号灯の背面図である。
【図４】携帯信号灯の正面断面図である。
【図５】携帯信号灯の背面断面図である。
【図６】携帯信号灯の側面断面図である。
【図７】携帯信号灯の発光部側面断面拡大図である。
【図８】携帯信号灯の発光部平面断面図である。
【図９】携帯信号灯の握り部断面図である。
【符号の説明】
１  紐
２  発光部
３  正面の発光面
４  背面の発光面
５  筒状の握り部
６  スイッチ
７  スイッチ
８  スイッチ
９  突起
１０  金属製フック
１１  高輝度赤色ＬＥＤ
１２  高輝度青色ＬＥＤ
１３  電子回路収容部
１４  電池
１５  バネ
１６  両面プリント基板
１７  化粧板を兼ねる反射板
【図１】
2004296413.tif 000003
【図２】
2004296413.tif 000004
【図３】
2004296413.tif 000005
【図４】
2004296413.tif 000006
【図５】
2004296413.tif 000007
【図６】
2004296413.tif 000008
【図７】
2004296413.tif 000009
【図８】
2004296413.tif 000010
【図９】
2004296413.tif 000011